(57)【要約】      （修正有）【課題】妊娠初期から臨月にかけて大きく変化する妊婦の体型に追従して常に良好なフィット感を与えることができると共に、着脱も容易であり、しかもスタイリッシュで美脚効果に優れたパンツルックを与えるマタニティ用下半身下着の提供。【解決手段】マタニティパンツ本体１の上端前方部分には着用時に妊婦の腹部を覆うに十分な大きさの伸縮性のリブニット部４が設けられると共に、妊婦の腹囲に応じてウエストサイズを調節するためのウエストサイズ調節手段が設けられる。リブニット部の袋状上端部に通したボタンホールゴム８を任意量引き出してボタン１０で止めることにより妊婦の体型変化に応じたウエストサイズ調節を行う。サイドファスナー１１が設けられているので、ウエストサイズ調節を行ったままの状態でもパンツの着脱が容易である。【選択図】図５
0003119193.tif 000002
【実用新案登録請求の範囲】
【請求項１】
本体の両サイド切替ステッチ部に挟まれた上端前方部分には着用時に妊婦の腹部を覆うに十分な大きさの伸縮自在部が設けられると共に、妊婦の腹囲に応じてウエストサイズを調節するためのウエストサイズ調節手段を備えたことを特徴とするマタニティ用下半身着衣。
【請求項２】
ウエストサイズ調節手段が、複数のボタンホールを有する帯状のボタンホールゴムを、リブニット部の上端を裏側に折り返して縫い止めすることにより形成された袋状部に通し、その一端を本体の一方のサイド切替ステッチ部の近くで止めると共に他端を他方のサイド切替ステッチ部の近くで開口する袋状部の開口端から任意量引き出し可能とし、該他方のサイド切替ステッチ部の近くに取り付けたボタンをゴム帯の選択されたいずれか一のボタンホールに止めてウエストサイズ調節を行うようにしたことを特徴とする、請求項１に記載のマタニティ用下半身着衣。
【考案の詳細な説明】
【技術分野】
【０００１】
本考案は、妊娠初期から臨月に至る間の妊婦の体型変化に追従して常に良好なフィット感が得られるマタニティ用下半身着衣に関する。
【背景技術】
【０００２】
従来のマタニティ用下半身着衣として、下記特許文献１に記載のものがある。このマタニティ用下半身着衣は、特にスカート形式として提供される場合は、妊婦の腹部を露出させた状態で下から持ち上げるようにして支持する前帯部と、妊婦の少なくとも胸椎の下端部から腰椎の上端部までの領域に当てる腰パッド部を含む後帯部と、これらを接続する一対の側帯部とを備えている。また、パンツ形式として提供される場合は、上端に腹部形状に追従して伸縮する腹部覆い部と腰パッド部とが設けられた本体の該上端に腹帯を重ねて腹部を下から持ち上げるようにして支持する構成を有する。
【特許文献１】特開２００５−０３６３７５号公報
【考案の開示】
【考案が解決しようとする課題】
【０００３】
この従来技術によるマタニティパンツは、妊婦の腹部をパンツ本体上端の腹部覆い部で覆うと共に腹帯で下から持ち上げるようにして支持するものとしているが、パンツ本体と腹帯の２つの別個独立した要素を常にワンセットとして使用する必要があり、着用や保管に不便なものであった。
【０００４】
また、この従来技術ではウエストサイズの調節を行うことができず、もっぱらパンツ本体上端の腹部覆い部を構成する生地の伸縮性に依存しているので、妊娠初期から臨月にかけて大きく変化する妊婦の体型に追従して常に良好なフィット感を与えることが困難であった。
【０００５】
また、従来のマタニティパンツは、妊婦の腹部に合わせてデザインされるためヒップや太股部分など全体が大きめでダブついた印象を与えがちとなり、スタイリッシュなパンツルックとはほど遠いものであった。
【０００６】
したがって、本考案の課題は、これらの従来技術の欠点を解消し、妊娠初期から臨月にかけて大きく変化する妊婦の体型に追従して常に良好なフィット感を与えることができると共に、着脱も容易であり、しかもスタイリッシュで美脚効果に優れたパンツルックを与えることができる新規な構成のマタニティ用下半身着衣を提供することにある。
【課題を解決するための手段】
【０００７】
この課題を解決するため、本考案によるマタニティ用下半身着衣は、本体の両サイド切替ステッチ部に挟まれた上端前方部分には着用時に妊婦の腹部を覆うに十分な大きさの伸縮自在部が設けられると共に、妊婦の腹囲に応じてウエストサイズを調節するためのウエストサイズ調節手段を備えることを特徴としている。ウエストサイズ調節手段は、たとえば、複数のボタンホールを有する帯状のボタンホールゴムを、伸縮性腹部カバーの上端を裏側に折り返して縫い止めすることにより形成された袋状部に通し、その一端を本体の一方のサイド切替ステッチ部の近くで止めると共に他端を他方のサイド切替ステッチ部の近くで開口する袋状部の開口端から任意量引き出し可能とし、該他方のサイド切替ステッチ部の近くに取り付けたボタンをボタンホールゴムの選択されたいずれか一のボタンホールに止めてウエストサイズ調節を行うように構成することができる。
【考案の効果】
【０００８】
本考案のマタニティ用下半身着衣は、本体の両サイド切替ステッチ部に挟まれた上端前方部分には着用時に妊婦の腹部を覆うに十分な大きさの伸縮自在部が設けられていて妊婦の体型が変化してもジャストフィットして着用感に優れると共に常に腹部を安定させることができ、スタイリッシュで美脚効果に優れたパンツルックを与えることができる。
【０００９】
さらに、本考案によれば、ウエスト調節手段が設けられることにより、腹部回りのサイズ調節を容易に行うことができる。ウエスト調節手段としては、たとえば、一端に複数のボタンホールが設けられたゴム帯を、リブニット部の上端を裏側に折り返して縫い止めすることにより形成された袋状部に通し、その一端を本体の両サイド切替ステッチ部の一方の近くで止めると共に他端を他方の切替ステッチ部の近くで開口する袋状部の開口端から任意に引き出し可能とした構成を有し、該他方の切替ステッチ部の近くに取り付けたボタンをゴム帯のいずれか一のボタンホールに止めることにより腹部回りのサイズ調節を容易に行うことができる。
【考案を実施するための最良の形態】
【００１０】
以下に本考案によるマタニティ用下半身着衣の好適な一実施形態について添付図面を参照して詳述する。この実施形態はジーンズ形式のマタニティパンツに関し、ストレッチデニムなどの生地で縫製されたパンツ本体１が、右前身頃２ａ、右後身頃２ｂ、左前身頃３ａ、左後身頃３ｂを有して構成されている。右前身頃２ａと右後身頃２ｂとの間にはサイドステッチ２ｃがパンツ本体１の略全長に亘って設けられている。同様に、左前身頃３ａと左後身頃３ｂとの間にはサイドステッチ３ｃがパンツ本体１の略全長に亘って設けられている。
【００１１】
パンツ本体１の股上は、背部側では通常のパンツと略同様の寸法とされているが、腹部側では着用時のウエスト位置の下方で大きく湾曲状にカットされており、このカット部分にリブニット部４が縫着されている。リブニット部４は例えば綿９５％にポリウレタン５％を配合した伸縮性に優れた生地で形成され、ウエスト位置の上方まで延長して、着用時に妊婦の腹部を全体的に覆うに十分な大きさを有しており、体型変化の激しい妊婦の腹部回りを常に安定させながらカバーする。
【００１２】
一方、パンツ本体１の背部側の上端部は、左右両脇のゴムシャーリング５，５と中央の広幅ゴム６とで構成されている。ゴムシャーリング５，５はリブニット部４と共に妊婦の腹部回りのサイズ調節作用を果たすと共に、着用時の微妙な動きに対応してウエストの可動性を高める。広幅ゴム６はゴムシャーリング５，５より伸縮率の小さな広幅帯状のゴム板からなり、着用時に背骨付近に当たってウエスト位置に安定して固定されるため、腹部を締め付けることなしに後ろの部分をずり落ちにくくしていると共に、股下がぴったり合ったジャストフィットとなって美脚効果が発揮される。
【００１３】
リブニット部４の上端は裏側に折り返して縫着されることにより袋状に形成されており、右サイドステッチ２ｃ近くで開口している。この袋状上端部７には、多数のボタンホール８ａが等間隔をおいて設けられた帯状のボタンホールゴム８が通され、その一端は左サイドステッチ３ｃ近くで縫い止めされ、他端は袋状上端部７の開口端７ａから引き出されて右サイドステッチ２ｃ近くで縫い止めされている。袋状上端部７の開口端７ａから引き出されたボタンホールゴム８はループ状とされ、この部分にストッパリング９が移動自在に取り付けられている。ボタン１０は右サイドステッチ２ｃ近くのゴムシャーリング５の端部に縫着され、右サイドステッチ２ｃ近くの基端部に位置するボタンホールを挿通している。着用に際しては、ボタンホールゴム８をリブニット部４の袋状上端部７の開口端７ａから引き出し（図４に示す状態）た後、ウエストサイズに応じた位置のボタンホール８ａにボタン１０を通してウエストサイズ調節を行う。妊娠初期で腹部がそれ程大きくなっていないときにはボタンホールゴム８の引き出し量を大きくして比較的奥方に位置するボタンホール８ａにボタン１０を通してサイズ調節を行い、徐々に腹部が大きくなるにつれてボタンホールゴム８を緩めて（リブニット部４の袋状上端部７への収容量を大きくして）ボタン止めする。ストッパリング９は、ボタン１０を外したときにボタンホールゴム８が袋状上端部７内にすべて引き込まれてしまうことを防止する。
【００１４】
左サイドステッチ３ｃの上端はファスナー１１で開閉可能である。このサイドファスナー１１を開けることにより、上述のようにしてボタンホールゴム８の任意のボタンホール８ａをボタン１０で止めてウエストサイズ調節した状態のままでもパンツの着脱を容易に行うことができる。左サイドステッチ３ｃに臨むリブニット部４およびゴムシャーリング５の各上端部には一方に鈎状のフック他方に係止リング（いずれも図示省略）がそれぞれ縫い付けられており、サイドファスナー１１を上端まで閉じ、且つフックを係止リングに係止することにより、上述のようにしてウエストサイズ調節されたジャストフィットが即座に得られる。
【産業上の利用可能性】
【００１５】
本考案は、特にマタニティパンツとして提供されるマタニティ用下半身着衣として有効に利用することができる。
【図面の簡単な説明】
【００１６】
【図１】本考案の一実施形態に係るマタニティパンツの着用状態正面図である。
【図２】同マタニティパンツの着用状態背面図である。
【図３】同マタニティパンツの着用状態左側面図である。
【図４】同マタニティパンツのウエストサイズ調節部をパンツの内側から見た状態で示す詳細図である。
【図５】同マタニティパンツの上部構成を示す詳細図である。
【符号の説明】
【００１７】
１  パンツ本体
２ａ  右前身頃
２ｂ  右後身頃
２ｃ  右サイドステッチ
３ａ  左前身頃
３ｂ  左後身頃
３ｃ  左サイドステッチ
４  リブニット部（伸縮自在部）
５  ゴムシャーリング
６  広幅ゴム（ウエスト固定手段）
７  リブニット部の袋状上端部
７ａ  袋状上端部の開口端
８  ボタンホールゴム（ウエストサイズ調節手段）
８ａ  ボタンホール
９  ストッパリング
１０  ボタン
１１  ファスナー
【図１】
0003119193.tif 000003
【図２】
0003119193.tif 000004
【図３】
0003119193.tif 000005
【図４】
0003119193.tif 000006
【図５】
0003119193.tif 000007